【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
物レンズ及び駆動コイルが固定されたホルダを移動可能に支持するディスクプレーヤのレンズ駆動装置であって、
前記ホルダは、前記対物レンズが固着される上面壁と、該上面壁に連結されトラッキング方向に離間整列する一対の側面壁と、からなり、前記一対の側面壁の側縁部に前記駆動コイルを固定したことを特徴とするディスクプレーヤのレンズ駆動装置。
【請求項２】
対物レンズ及び駆動コイルが固定されたホルダを移動可能に支持するディスクプレーヤのレンズ駆動装置であって、
前記ホルダは、全体が略方形状であり、前記対物レンズが固着される上面壁部とトラッキング方向に離間整列する一対の側面壁を備えるとともに、ジッタ方向に整列する一対の側面壁が除去された構造とされ、
前記駆動コイルは除去された前記側面壁が存在した領域に位置するよう前記ホルダに対して固定されることを特徴とするディスクプレーヤのレンズ駆動装置。
【請求項３】
対物レンズ及び駆動コイルが固定されたホルダをフォーカス方向及びトラッキング方向に移動可能に支持するディスクプレーヤのレンズ駆動装置であって、
前記ホルダは、前記対物レンズが固着される上面壁と、
該上面壁に連結され前記トラッキング方向に離間整列する一対の側面壁と、からなり、
前記駆動コイルは、平板上にプリントして形成され、前記フォーカス方向及びトラッキング方向の駆動力を発生する平板状プリントコイルであり、
前記平板状プリントコイルは、前記一対の側面壁の側縁部に対してコイル面が前記トラッキング方向及びフォーカス方向のいずれにも平行となるように固定されることを特徴とするディスクプレーヤのレンズ駆動装置。
【請求項４】
対物レンズ及び駆動コイルが固定されたホルダをフォーカス方向及びトラッキング方向に移動可能に支持するディスクプレーヤのレンズ駆動装置であって、
前記ホルダは、全体が略方形状であり、前記対物レンズが固着される上面壁部とトラッキング方向に離間整列する一対の側面壁を備えるとともに、ジッタ方向に整列する一対の側面壁が除去された構造とされ、
前記駆動コイルは、平板上にプリントして形成され、前記フォーカス方向及びトラッキング方向の駆動力を発生する平板状プリントコイルであり、
前記平板状プリントコイルは、前記除去された側面壁の領域内において、前記一対の側面壁の側縁部に対してコイル面が前記トラッキング方向及びフォーカス方向のいずれかにも平行となるように、固定されることを特徴とするディスクプレーヤのレンズ駆動装置。
【請求項５】
対物レンズ及び駆動コイルが固定されたホルダをフォーカス方向及びトラッキング方向に移動可能に支持するディスクプレーヤのレンズ駆動装置であって、
前記ホルダは、前記対物レンズが固着される上面壁と、
該上面壁に連結され前記トラッキング方向に離間整列する一対の側面壁と、フォーカス方向に離間整列するとともに各々がトラッキング方向に突出形成された一対のアーム部とを有し、
前記駆動コイルは、前記一対の側面壁に巻回されたフォーカスコイルと、前記一対のアーム部に巻回されたトラッキングコイルとからなることを特徴とするディスクプレーヤのレンズ駆動装置。
【請求項６】
対物レンズ及び駆動コイルが固定されたホルダをフォーカス方向及びトラッキング方向に移動可能に支持するディスクプレーヤのレンズ駆動装置であって、
前記ホルダは、全体が略方形状であり、前記対物レンズが固着される上面壁と、前記トラッキング方向に離間整列する一対の側面壁と、フォーカス方向に離間整列するとともに各々がトラッキング方向に突出形成された一対のアーム部とを備えるとともに、ジッタ方向に整列する一対の側面壁が除去された構造とされ、
前記駆動コイルは、前記一対の側面壁に巻回されたフォーカスコイルと、前記一対のアーム部に巻回されたトラッキングコイルとからなり、
前記フォーカスコイルは、前記一対の側面壁に巻回された状態において磁束付与面が前記一対の側面壁の間の空間に位置することを特徴とするディスクプレーヤのレンズ駆動装置。
【手続補正２】
【補正対象書類名】明細書
【補正対象項目名】０００６
【補正方法】変更
【補正の内容】
【０００６】
【課題を解決するための手段】上記課題を解決するため、請求項１に記載の発明に係るディスクプレーヤのレンズ駆動装置は、対物レンズ及び駆動コイルが固定されたホルダを移動可能に支持するディスクプレーヤのレンズ駆動装置であって、ホルダは、対物レンズが固着される上面壁と、該上面壁に連結されトラッキング方向に離間整列する一対の側面壁と、からなり、一対の側面壁の側縁部に駆動コイルを固定したことを特徴とする。
【手続補正３】
【補正対象書類名】明細書
【補正対象項目名】０００７
【補正方法】変更
【補正の内容】
【０００７】
また、請求項２に記載の発明に係るディスクプレーヤのレンズ駆動装置は、対物レンズ及び駆動コイルが固定されたホルダを移動可能に支持するディスクプレーヤのレンズ駆動装置であって、ホルダは、全体が略方形状であり、対物レンズが固着される上面壁部とトラッキング方向に離間整列する一対の側面壁を備えるとともに、ジッタ方向に整列する一対の側面壁が除去された構造とされ、駆動コイルは除去された側
面壁が存在した領域に位置するようホルダに対して固定されることを特徴とする。
【手続補正４】
【補正対象書類名】明細書
【補正対象項目名】０００８
【補正方法】変更
【補正の内容】
【０００８】
また、請求項３に記載の発明に係るディスクプレーヤのレンズ駆動装置は、対物レンズ及び駆動コイルが固定されたホルダをフォーカス方向及びトラッキング方向に移動可能に支持するディスクプレーヤのレンズ駆動装置であって、ホルダは、対物レンズが固着される上面壁と、該上面壁に連結されトラッキング方向に離間整列する一対の側面壁と、からなり、駆動コイルは、平板上にプリントして形成され、フォーカス方向
及びトラッキング方向の駆動力を発生する平板状プリントコイルであり、平板状プリントコイルは、一対の側面壁の側縁部に対してコイル面がトラッキング方向及びフォーカス方向のいずれにも平行となるように固定されることを特徴とする。
【手続補正５】
【補正対象書類名】明細書
【補正対象項目名】０００９
【補正方法】変更
【補正の内容】
【０００９】
また、請求項４に記載の発明に係るディスクプレーヤのレンズ駆動装置は、対物レンズ及び駆動コイルが固定されたホルダをフォーカス方向及びトラッキング方向に移動可能に支持するディスクプレーヤのレンズ駆動装置であって、ホルダは、全体が略方形状であり、対物レンズが固着される上面壁部とトラッキング方向に離間整列する一対の側面壁を備えるとともに、ジッタ方向に整列する一対の側面壁が除去された構造とされ、駆動コイルは、平板上にプリントして形成され、フォーカス方向及びトラッキング方向の駆動力を発生する平板状プリントコイルであり、平板状プリントコイルは、除去された側面壁の領域内において、一対の側面壁の側縁部に対してコイル面がトラッキング方向及びフォーカス方向のいずれかにも平行となるように、固定されることを特徴とする。
【手続補正６】
【補正対象書類名】明細書
【補正対象項目名】００１０
【補正方法】変更
【補正の内容】
【００１０】
また、請求項５に記載の発明に係るディスクプレーヤのレンズ駆動装置は、対物レンズ及び駆動コイルが固定されたホルダをフォーカス方向及びトラッキング方向に移動可能に支持するディスクプレーヤのレンズ駆動装置であって、ホルダは、対物レンズが固着される上面壁と、該上面壁に連結されトラッキング方向に離間整列する一対の側面壁と、フォーカス方向に離間整列するとともに各々がトラッキング方向に突出形成された一対のアーム部とを有し、駆動コイルは、一対の側面壁に巻回されたフォーカスコイルと、一対のアーム部に巻回されたトラッキングコイルとからなることを特徴とする。
【手続補正７】
【補正対象書類名】明細書
【補正対象項目名】００１１
【補正方法】変更
【補正の内容】
【００１１】
また、請求項６に記載の発明に係るディスクプレーヤのレンズ駆動装置は、対物レンズ及び駆動コイルが固定されたホルダをフォーカス方向及びトラッキング方向に移動可能に支持するディスクプレーヤのレンズ駆動装置であって、ホルダは、全体が略方形状であり、対物レンズが固着される上面壁と、トラッキング方向に離間整列する一対の側面壁と、フォーカス方向に離間整列するとともに各々がトラッキング方向に突出形成された一対のアーム部とを備えるとともに、ジッタ方向に整列する一対の側面壁が除去された構造とされ、駆動コイルは、一対の側面壁に巻回されたフォーカスコイルと、一対のアーム部に巻回されたトラッキングコイルとからなり、フォーカスコイルは、一対の側面壁に巻回された状態において磁束付与面が一対の側面壁の間の空間に位置することを特徴とする。
【手続補正８】
【補正対象書類名】明細書
【補正対象項目名】００１２
【補正方法】変更
【補正の内容】
【００１２】
本発明のディスクプレーヤのレンズ駆動装置は、対物レンズ及び駆動コイルが固定されたホルダをフォーカス方向及びトラッキング方向に移動可能に支持するディスクプレーヤのレンズ駆動装置であって、ホルダは、全体が略方形状であり、対物レンズが固着される上面壁と、該上面壁に連結されトラッキング方向に離間整列する一対の側面壁と、各々がトラッキング方向に突出形成された一対のアーム部とを有し、ジッタ方向に整列する一対の側面壁が除去された構造であり、駆動コイルは、一対の側面壁に巻回されたフォーカスコイルと、一対のアーム部に巻回されたトラッキングコイルとからなり、フォーカスコイルは、一対の側面壁に巻回された状態において磁束付与面が一対の側面壁の間の空間に位置するように構成したので、ホルダの軽量化と小型化が図られ、ディスクプレーヤのレンズ駆動装置の固有共振周波数を高めることが可能となる。
【手続補正９】
【補正対象書類名】明細書
【補正対象項目名】００１３
【補正方法】変更
【補正の内容】
【００１３】
また、本発明のディスクプレーヤのレンズ駆動装置は、対物レンズ及び駆動コイルが固定されたホルダをフォーカス方向及びトラッキング方向に移動可能に支持するディスクプレーヤのレンズ駆動装置であって、ホルダは、全体が略方形状であり、対物レンズが固着される上面壁とトラッキング方向に離間整列する一対の側面壁を備えるとともに、ジッタ方向に整列する一対の側面壁が除去された構造であり、駆動コイルは、平板上にプリントして形成され、フォーカス方向及びトラッキング方向の駆動力を発生する平板状プリントコイルであり、平板状プリントコイルは、除去された側面壁の領域内において、一対の側面壁の側縁部に対してコイル面がトラッキング方向及びフォーカス方向のいずれかにも平行となるように固定したので、ホルダが平板状プリントコイルにより補強されると共に、ホルダの軽量化と小型化が図られ、ディスクプレーヤのレンズ駆動装置の固有共振周波数を高めることが可能となる。
【手続補正１０】
【補正対象書類名】明細書
【補正対象項目名】００１９
【補正方法】変更
【補正の内容】
【００１９】
本発明に用いられるホルダ４０は、図２（ａ）の概念図に示すようにジッタ（図中矢印Ｊ）方向の左右側板を除去した略方形状であり、図示しない対物レンズの光路となる開口部４１が形成された上面壁４２と、トラッキング（図中矢印Ｔ）方向に離間整列する４本の突出部４２ａ、４３ａを有する一対の側面壁４３とで構成している。ホルダ４０は、図２（ｃ）に示す従来の升状のホルダ構造に対して、ジッタ方向に整列する左右側板（図中斜線（イ）及び（ロ）部分）を除去することでホルダ４０の小型軽量化を図っている。
【手続補正１１】
【補正対象書類名】明細書
【補正対象項目名】００３２
【補正方法】変更
【補正の内容】
【００３２】
先ずホルダ６０の構造を図７を用いて説明する。尚、図７（ａ）はホルダ６０の上面図を、図７（ｂ）はホルダ６０をジッタ方向から見た時の側面図を、図７（ｃ）はホルダ６０をトラッキング方向から見た時の側面図を示した。ホルダ６０は、図７に示すように樹脂成形された全体が略方形状であり、上面壁６２の中央に対物レンズ４８の光路となる開口部６１が形成され、上面壁６２の両側（トラッキング方向、図中矢印Ｔ）に突出する突出部６２ａが形成されると共に、上面壁６２に連結されたトラッキング方向に離間整列する一対の側面壁６３の先端に、上面壁６２の突出部６２ａと対向配置して突出部６３ａが形成されている。また、第１実施形態に用いたホルダ４０と同様に、ホルダ６０のジッタ方向に整列する左右側板を除去することでホルダ６０の質量が低下し、ジッタ方向の固有共振周波数が高められる。また、図７（ｃ）に示すようにホルダ６０の側面壁６３の略中央に開口窓６３ｂを設けることにより、ホルダ６０の質量を更に低減するように構成しても良い。つまり、第２実施形態で用いるホルダ６０が第１実施形態のホルダ４０と異なる点は、ホルダ６０にフォーカスコイルとトラッキングコイルを巻回する巻回部を設けていない点である。